(57)【要約】【課題】内周側密封部材２と外周側密封部材３との組み合わせよりなる密封装置１において、リップシール部材等の外周側密封部材３からスリンガー部材等の内周側密封部材２が軸方向一方へ向けて脱落するのを抑えることができる密封装置１を提供する。【解決手段】内周側密封部材２は、筒状部４ａおよび筒状部４ａの一端から径方向外方へ向けて一体成形された径方向立ち上がり部４ｂを設けた金属環４を有する。外周側密封部材３は、金属環４の径方向立ち上がり部４ｂに摺動自在に密接する複数のサイドリップ７ｅ，７ｆおよび金属環４の筒状部４ａの外周側に非接触にて配置されるラジアルリップ７ｇを有する。金属環４の筒状部４ａは、ラジアルリップ７ｇの内径寸法ｄ１よりも大きな外径寸法ｄ２を備えて金属環４が外周側密封部材３から軸方向一方へ脱落するのを阻止する軸方向抜け止め部８を有する。【選択図】図１
2007009938.tif 000002
【特許請求の範囲】
【請求項１】
相対回転する二部材のうちの一方である内周側取付部材に取り付けられる内周側密封部材（２）と、前記二部材のうちの他方である外周側取付部材に取り付けられる外周側密封部材（３）との組み合わせよりなる密封装置（１）であって、
前記内周側密封部材（２）は、前記内周側取付部材に固定される筒状部（４ａ）を設けた金属環（４）を有し、
前記外周側密封部材（３）は、前記金属環（４）の筒状部（４ａ）の外周側に非接触にて配置されるラジアルリップ（７ｇ）を有し、
前記金属環（４）の筒状部（４ａ）は、前記ラジアルリップ（７ｇ）の内径寸法（ｄ１）よりも大きな外径寸法（ｄ２）を備えて前記金属環（４）が前記外周側密封部材（３）から軸方向一方へ脱落するのを阻止する軸方向抜け止め部（８）を有することを特徴とする密封装置。
【請求項２】
相対回転する二部材のうちの一方である内周側取付部材に取り付けられる内周側密封部材（２）と、前記二部材のうちの他方である外周側取付部材に取り付けられる外周側密封部材（３）との組み合わせよりなる密封装置（１）であって、
前記内周側密封部材（２）は、前記内周側取付部材に固定される筒状部（４ａ）および前記筒状部（４ａ）の一端から径方向外方へ向けて一体成形された径方向立ち上がり部（４ｂ）を設けた金属環（４）を有し、
前記外周側密封部材（３）は、前記金属環（４）の径方向立ち上がり部（４ｂ）に摺動自在に密接する複数のサイドリップ（７ｅ）（７ｆ）および前記金属環（４）の筒状部（４ａ）の外周側に非接触にて配置されるラジアルリップ（７ｇ）を有し、
前記金属環（４）の筒状部（４ａ）は、前記ラジアルリップ（７ｇ）の内径寸法（ｄ１）よりも大きな外径寸法（ｄ２）を備えて前記金属環（４）が前記外周側密封部材（３）から軸方向一方へ脱落するのを阻止する軸方向抜け止め部（８）を有することを特徴とする密封装置。
【請求項３】
請求項１または２の密封装置において、
軸方向抜け止め部（８）は、金属環（４）における筒状部（４ａ）の端部を径方向外方へ折り曲げることにより形成されていることを特徴とする密封装置。
【請求項４】
請求項１、２または３の密封装置において、
ラジアルリップ（７ｇ）および軸方向抜け止め部（８）間には、ラビリンス作用が強化されたラビリンスシール（１０）が設けられていることを特徴とする密封装置。
【発明の詳細な説明】
【技術分野】
【０００１】
本発明は、密封技術に係る密封装置に関するものである。本発明の密封装置は例えば、ハブベアリングシールとして自動車関連分野に用いられ、または汎用機械等に用いられる。
【背景技術】
【０００２】
従来から、図４に示すような密封装置５１が知られており、この密封装置５１は、相対回転する二部材（例えばベアリングの内輪および外輪）６１，６２のうちの一方である内周側取付部材（例えば内輪）６１に取り付けられるスリンガー部材（内周側密封部材）５２と、他方である外周側取付部材（例えば外輪）６２に取り付けられるリップシール部材（外周側密封部材）５３との組み合わせにより構成されている。
【０００３】
スリンガー部材５２は、金属材よりなり、筒状部５２ａの軸方向一端に環状の径方向立ち上がり部５２ｂを一体成形して断面略Ｌ字形に形成され、筒状部５２ａをもって内周側取付部材（例えば内輪）６１の外周面に嵌着されている。リップシール部材５３は、同じく断面略Ｌ字形を呈する金属環５４にゴム状弾性体製のシールリップを複数被着したものであって、金属環５４をもって外周側取付部材（例えば外輪）６２の内周面に嵌着されている。シールリップは、スリンガー部材５２の径方向立ち上がり部５２ｂの内側端面に摺動自在に密接するサイドリップ５５ａと、スリンガー部材５２の筒状部５２ａの外周面に摺動自在に密接する第一ラジアルリップ５５ｂと、同じくスリンガー部材５２の筒状部５２ａの外周面に摺動自在に密接する第二ラジアルリップ５５ｃとの組み合わせよりなり、この３つのリップのうち、サイドリップ５５ａおよび第一ラジアルリップ５５ｂは主に機外Ａの泥水等ダストをシールし、第二ラジアルリップ５５ｃは主に機内Ｂのグリースをシールするよう、その機能が分担されている。
【０００４】
上記構成の密封装置５１において、その耐泥水性を向上させるには、図５に示すように、耐泥水性に大きく寄与することが可能なサイドリップ５５ａを二枚化する（第一ラジアルリップ５５ｂを省略し、その代わりとして第二サイドリップ５５ｄを追加する）ことが考えられるが、このようにサイドリップ５５ａを二枚化すると摺動トルクの増大が懸念されるため、図６に示すように、第二ラジアルリップ５５ｃをスリンガー部材５２に対して非接触タイプとすることが併せて考えられる。
【０００５】
しかしながら、このようにシールリップを、スリンガー部材５２の径方向立ち上がり部５２ｂの内側端面に摺動自在に密接する第一サイドリップ５５ａと、同じくスリンガー部材５２の径方向立ち上がり部５２ｂの内側端面に摺動自在に密接する第二サイドリップ５５ｄと、スリンガー部材５２の筒状部５２ａの外周側に非接触にて配置されるラジアルリップ５５ｃとの組み合わせとすると、何れのリップもスリンガー部材５２を保持するのに必要な径方向の締め代を持たないことから、密封装置５１の搬送時や装着作業時に、リップシール部材５３からスリンガー部材５２が軸方向一方（図上Ｃ方向）へ脱落してしまう虞がある。
【０００６】
【特許文献１】特開２００５−８３５３７号公報（図４）
【発明の開示】
【発明が解決しようとする課題】
【０００７】
本発明は以上の点に鑑みて、上記リップシール部材等の外周側密封部材からスリンガー部材等の内周側密封部材が軸方向一方へ脱落するのを抑えることができる密封装置を提供することを目的とし、またこれに加えて、シール性能を向上させることができる密封装置を提供することを目的とする。
【課題を解決するための手段】
【０００８】
上記目的を達成するため、本発明の請求項１による密封装置は、相対回転する二部材のうちの一方である内周側取付部材に取り付けられる内周側密封部材と、前記二部材のうちの他方である外周側取付部材に取り付けられる外周側密封部材との組み合わせよりなる密封装置であって、前記内周側密封部材は、前記内周側取付部材に固定される筒状部を設けた金属環を有し、前記外周側密封部材は、前記金属環の筒状部の外周側に非接触にて配置されるラジアルリップを有し、前記金属環の筒状部は、前記ラジアルリップの内径寸法よりも大きな外径寸法を備えて前記金属環が前記外周側密封部材から軸方向一方へ脱落するのを阻止する軸方向抜け止め部を有することを特徴とするものである。
【０００９】
また、本発明の請求項２による密封装置は、相対回転する二部材のうちの一方である内周側取付部材に取り付けられる内周側密封部材と、前記二部材のうちの他方である外周側取付部材に取り付けられる外周側密封部材との組み合わせよりなる密封装置であって、前記内周側密封部材は、前記内周側取付部材に固定される筒状部および前記筒状部の一端から径方向外方へ向けて一体成形された径方向立ち上がり部を設けた金属環を有し、前記外周側密封部材は、前記金属環の径方向立ち上がり部に摺動自在に密接する複数のサイドリップおよび前記金属環の筒状部の外周側に非接触にて配置されるラジアルリップを有し、前記金属環の筒状部は、前記ラジアルリップの内径寸法よりも大きな外径寸法を備えて前記金属環が前記外周側密封部材から軸方向一方へ脱落するのを阻止する軸方向抜け止め部を有することを特徴とするものである。
【００１０】
また、本発明の請求項３による密封装置は、上記した請求項１または２の密封装置において、軸方向抜け止め部は、金属環における筒状部の端部を径方向外方へ折り曲げることにより形成されていることを特徴とするものである。
【００１１】
更にまた、本発明の請求項４による密封装置は、上記した請求項１、２または３の密封装置において、ラジアルリップおよび軸方向抜け止め部間には、ラビリンス作用が強化されたラビリンスシールが設けられていることを特徴とするものである。
【００１２】
上記構成を備えた本発明の請求項１または２による密封装置においては、内周側密封部材における金属環の筒状部に、外周側密封部材におけるラジアルリップの内径寸法よりも大きな外径寸法を備えて金属環が外周側密封部材から軸方向一方へ脱落するのを阻止する軸方向抜け止め部が設けられているために、金属環が外周側密封部材に対して軸方向一方へ変位すると、軸方向抜け止め部がラジアルリップに係合し、よってその脱落が阻止される。軸方向抜け止め部は常態においてはラジアルリップと非接触とされる。また、軸方向抜け止め部は、請求項３に記載したように金属環における筒状部の端部を径方向外方へ折り曲げることによって形成するのが好ましく、この場合には、軸方向抜け止め部が筒状部に一体成形されることになる。また、請求項４に記載したようにラジアルリップおよび軸方向抜け止め部間にラビリンス作用の強化されたラビリンスシールを設けると、このラビリンスシールが発揮するラビリンス作用によって、該部シール性能を向上させることが可能となる。ラビリンス作用が強化されるのは、ラジアルリップおよび軸方向抜け止め部が互いに非接触でありながらも近接配置されることによる。
【発明の効果】
【００１３】
本発明は、以下の効果を奏する。
【００１４】
すなわち、本発明の請求項１または２による密封装置においては、内周側密封部材における金属環の筒状部に、外周側密封部材におけるラジアルリップの内径寸法よりも大きな外径寸法を備えて金属環が外周側密封部材から軸方向一方へ脱落するのを阻止する軸方向抜け止め部が設けられているために、この軸方向抜け止め部が発揮する抜け止め作用によって、金属環が外周側密封部材から軸方向一方へ向けて脱落するのを抑えることが可能とされている。したがって、密封装置の搬送時や装着作業時などにおいて、密封装置が分解してしまうのを未然に防止することができる。
【００１５】
またこれに加えて、本発明の請求項２による密封装置においては、外周側密封部材が複数のサイドリップを有しているために、耐泥水性を向上させることができ、またシールリップが複数のサイドリップと非接触式のラジアルリップとの組み合わせとされているために、摺動トルクの増大を抑えることができる。したがって、この請求項２に係る発明によれば総じて、耐泥水性に優れ、摺動トルクが小さく、かつ上記したように部品が分解することもない密封装置を提供することができる。
【００１６】
また、本発明の請求項３による密封装置においては、軸方向抜け止め部が金属環における筒状部の端部を径方向外方へ折り曲げることにより形成されているために、軸方向抜け止め部は筒状部に一体成形されている。したがって、金属環の筒状部に軸方向抜け止め部を設けても、密封装置の部品点数が増加するのを抑えることができる。
【００１７】
更にまた、本発明の請求項４による密封装置においては、ラジアルリップおよび軸方向抜け止め部間にラビリンス作用の強化されたラビリンスシールが設けられているために、このラビリンスシールが優れたシール性能を発揮する。したがって、ラジアルリップおよび軸方向抜け止め部間についてそのシール性能を向上させることができる。
【発明を実施するための最良の形態】
【００１８】
つぎに本発明の実施例を図面にしたがって説明する。
【００１９】
図１は、本発明の実施例に係る密封装置１の要部断面を示している。当該実施例に係る密封装置１は、自動車関連分野においてハブベアリング用シール（ハブシール）として用いられるものであって、以下のように構成されている。
【００２０】
すなわち先ず、当該密封装置１は、相対回転する二部材のうちの一方の部材であるベアリング内輪（内周側取付部材、図示せず）に取り付けられてベアリング内輪とともに回転する内周側密封部材２と、二部材のうちの他方の部材であるベアリング外輪（外周側取付部材、図示せず）に取り付けられて非回転の外周側密封部材３とを有している。
【００２１】
内周側密封部材２は、金属環の一種であるスリンガー部材（以下、単にスリンガーとも称する）４によって構成されている。
【００２２】
このスリンガー４は、板金等の金属材よりなり、筒状部４ａの軸方向一方（図上右方）の端部に径方向外方（図上上方）へ向けて環状の径方向立ち上がり部（平面部）４ｂを一体成形したものであって、前者の筒状部４ａをもってベアリング内輪の外周面に嵌着される。
【００２３】
一方、外周側密封部材３は、リップシール部材（以下、単にリップシールとも称する）５によって構成されており、このリップシール５は、金属環６と、この金属環６に被着（加硫接着）されたゴム状弾性体７との組み合わせにより構成されている。
【００２４】
金属環６は、板金等の金属材よりなり、筒状部６ａの軸方向他方（図上左方）の端部に径方向内方（図上下方）へ向けて環状の径方向立ち上がり部（平面部）６ｂを一体成形したものであって、前者の筒状部６ａをもってベアリング外輪の内周面に嵌着される。
【００２５】
ゴム状弾性体７は、金属環６の筒状部６ａの先端外周面に被着された外周ゴム部７ａと、筒状部６ａの先端面に被着された先端ゴム部７ｂと、筒状部６ａの内周面に被着された内周ゴム部７ｃと、金属環６の径方向立ち上がり部６ｂの内側端面および内周端部に被着された端面ゴム部７ｄと、この端面ゴム部７ｄに支持されてスリンガー４の径方向立ち上がり部４ｂの内側端面に摺動自在に密接する第一サイドリップ７ｅと、この第一サイドリップ７ｅの内周側に配置され、同じく端面ゴム部７ｄに支持されてスリンガー４の径方向立ち上がり部４ｂの内側端面に摺動自在に密接する第二サイドリップ７ｆと、同じく端面ゴム部７ｄに支持されてスリンガー４の筒状部４ａの外周側に非接触にて配置されるラジアルリップ７ｇとを一体に有しており、この３つのリップのうち、第一および第二サイドリップ７ｅ，７ｆは主に機外Ａの泥水等ダストをシールし、ラジアルリップ７ｇは主に機内Ｂのグリースをシールするように設定されている。
【００２６】
また、スリンガー４における筒状部４ａの先端には、ラジアルリップ７ｇの内径寸法ｄ１よりも大きな外径寸法ｄ２に設定されて、スリンガー４がリップシール５から軸方向一方（図上右方）へ向けて脱落するのを阻止するための軸方向抜け止め部８が設けられており、この軸方向抜け止め部８は、筒状部４ａの先端部を径方向外方へ折り曲げることによって筒状部４ａに一体成形されている。またこの軸方向抜け止め部８は、筒状部４ａの先端部を径方向斜め外方へ折り曲げることによって形成されており、よって全体として円錐状を呈し、円錐面状の外周面８ａおよび内周面８ｂを有している。またこの軸方向抜け止め部８は、筒状部４ａの先端部に薄肉状円筒部４ｃを設け、この薄肉状円筒部４ｃを径方向斜め外方へ折り曲げることによって形成されており、よってその折り曲げ加工が容易化されている。尚、このように筒状部４ａの先端部に薄肉状円筒部４ｃが設けられた結果として、筒状部４ａの外周面には環状の段差部４ｄが形成されている。
【００２７】
また、ラジアルリップ７ｇと軸方向抜け止め部８との間には、流路幅が狭くかつ流路形状が複雑な小間隙部９が設定されており、この環状の小間隙部９によってラビリンス作用の強化されたラビリンスシール１０が設けられている。
【００２８】
上記構成の密封装置１においては、以下の作用効果が発揮される。
【００２９】
すなわち先ず、スリンガー４における筒状部４ａの先端に、ラジアルリップ７ｇの内径寸法ｄ１よりも大きな外径寸法ｄ２に設定されて、スリンガー４がリップシール５から軸方向一方へ向けて脱落するのを阻止するための軸方向抜け止め部８が設けられているために、この軸方向抜け止め部８が発揮する抜け止め作用によって、スリンガー４がリップシール５から軸方向一方へ向けて脱落するのを抑えることが可能とされている。したがって、当該密封装置１の搬送時や装着作業時などにおいて、密封装置１が分解してしまうのを未然に防止することができる。
【００３０】
また、リップシール５に複数のサイドリップ７ｅ，７ｆが設けられているために、耐泥水性を向上させることが可能とされており、またシールリップが複数のサイドリップ７ｅ，７ｆと非接触式のラジアルリップ７ｇとの組み合わせよりなるものとされているために、リップ全体として摺動トルクの増大を抑えることが可能とされている。
【００３１】
また、軸方向抜け止め部８が筒状部４ａの先端部を径方向外方へ折り曲げることによって成形されているために、軸方向抜け止め部８は筒状部４ａに対して一体に成形されている。したがって、スリンガー４の筒状部４ａに軸方向抜け止め部８を設けても、密封装置１の部品点数が増加するのを抑えることが可能とされている。
【００３２】
更にまた、ラジアルリップ７ｇと軸方向抜け止め部８との間にラビリンス作用の強化されたラビリンスシール１０が設けられているために、このラビリンスシール１０によって優れたシール性能が発揮される。したがって、ラジアルリップ７ｇおよび軸方向抜け止め部８間についてそのシール性能を向上させることが可能とされている。
【００３３】
尚、本発明において、密封装置の形状ないし構造については、必ずしも上記実施例で説明した形状ないし構造でなくても、リップシール５とスリンガー４の「外れ」が防止できる形状ないし構造であれば良い。
【００３４】
例えば、上記実施例では、スリンガー４の筒状部４ａの先端部に薄肉状円筒部４ｃを設け、この薄肉状円筒部４ｃを折り曲げることによって軸方向抜け止め部８を形成したが、図２に示すように、薄肉状円筒部４ｃを設けることなく筒状部４ａの先端部をそのまま折り曲げることによって軸方向抜け止め部８を形成しても良い。
【００３５】
また、上記実施例では、ラジアルリップ（グリースリップ）７ｇの向きを機内Ｂ向きとしたが、図３に示すように機外Ａ向きとしても良く、リップの向きはどちらを向いていても良い（組み立て時のリップの反転、搬送時の外れ防止ができれば、可能）。
【００３６】
また、スリンガーの形状については、組み立て時にリップが傷付かない形状とすると良い。更にまた、例えば、回転検出用に磁性粉を混入したゴム状弾性体をスリンガーの端面に設け、Ｓ極およびＮ極を着磁されたエンコーダーを設けたものであっても良い。
【図面の簡単な説明】
【００３７】
【図１】本発明の実施例に係る密封装置の要部断面図
【図２】本発明の他の実施例に係る密封装置の要部断面図
【図３】本発明の他の実施例に係る密封装置の要部断面図
【図４】従来例に係る密封装置の装着状態を示す断面図
【図５】他の従来例に係る密封装置の要部断面図
【図６】他の従来例に係る密封装置の要部断面図
【符号の説明】
【００３８】
１  密封装置
２  内周側密封部材
３  外周側密封部材
４  スリンガー部材（金属環）
４ａ，６ａ  筒状部
４ｂ，６ｂ  径方向立ち上がり部
４ｃ  薄肉状円筒部
４ｄ  段差部
５  リップシール部材
６  金属環
７  ゴム状弾性体
７ａ  外周ゴム部
７ｂ  先端ゴム部
７ｃ  内周ゴム部
７ｄ  端面ゴム部
７ｅ，７ｆ  サイドリップ
７ｇ  ラジアルリップ
８  軸方向抜け止め部
８ａ  円錐面状外周面
８ｂ  円錐面状内周面
９  小間隙部
１０  ラビリンスシール
【図１】
2007009938.tif 000003
【図２】
2007009938.tif 000004
【図３】
2007009938.tif 000005
【図４】
2007009938.tif 000006
【図５】
2007009938.tif 000007
【図６】
2007009938.tif 000008